(57)【特許請求の範囲】
【請求項１】
記録に供するデータに応じて、レーザービームの光量を多段階で切り換えて光記録媒体に照射することにより、前記データを多値記録する光記録装置において、
１つのピットにより記録する前記データと、前後のピットにより記録するデータとの組み合わせ毎に、前記１つのピットに係る前記レーザービームの光量及びタイミングを補正するデータを記録した補正値テーブルを有し、
前記補正値テーブルに記録された前記補正するデータに基づいて、前記データを記録する際の前記レーザービームの光量及びタイミングを設定するようにして、
前記補正値テーブルに記録された前記補正するデータに基づいて前記レーザービームの光量及びタイミングを設定して、前記１つのピットと前記前後のピットとを単位にした、前記１つのピットと前記前後のピットとの全ての組み合わせによる試験用データを記録した後、各組み合わせの再生結果を得、
対応する組み合わせの前記再生結果に基づいて、位相余裕及び振幅余裕が大きくなるように、前記補正値テーブルに記録された前記補正するデータを更新する
ことを特徴とする光記録装置。
【請求項２】
前記光記録媒体に対して有効な前記レーザービームのビーム径が、再生信号におけるエッジの最小間隔に対応する前記光記録媒体上の長さに比して、長くなるように設定された
ことを特徴とする請求項１に記載の光記録装置。
【請求項３】
記録に供するデータに応じて、レーザービームの光量を多段階で切り換えて光記録媒体に照射することにより、前記データを多値記録する光記録方法において、
１つのピットにより記録する前記データと前後のピットにより記録するデータとの組み合わせ毎に、前記１つのピットに係る前記レーザービームの光量及びタイミングを補正するデータを記録した補正値テーブルを設け、
前記補正値テーブルに記録された前記補正するデータに基づいて、前記データを記録する際の前記レーザービームの光量及びタイミングを設定するようにして、
前記補正値テーブルに記録された前記補正するデータに基づいて前記レーザービームの光量及びタイミングを設定して、前記１つのピットと前記前後のピットとを単位にした、前記１つのピットと前記前後のピットとの全ての組み合わせによる試験用データを記録した後、各組み合わせの再生結果を得、
対応する組み合わせの前記再生結果に基づいて、位相余裕及び振幅余裕が大きくなるように、前記補正値テーブルに記録された前記補正するデータを更新する
ことを特徴とする光記録方法。
【請求項４】
前記光記録媒体に対して有効な前記レーザービームのビーム径が、再生信号におけるエッジの最小間隔に対応する前記光記録媒体上の長さに比して、長くなるように設定する
ことを特徴とする請求項３に記載の光記録方法。
【発明の詳細な説明】
【０００１】
【発明の属する技術分野】
本発明は、光記録装置及び光記録方法に関し、例えばピットの深さを切り換えて所望のデータを多値記録する光ディスクの関連装置に適用することができる。本発明は、連続する３つのピットによる記録の単位により、予め種々の組み合わせにより試験用データを記録して再生結果を得、この再生結果よりレーザービームを照射する条件を補正することにより、多値記録したデータを確実に再生することができるようにする。
【０００２】
【従来の技術】
従来、光ディスクにおいては、順次ピットを形成し、このピットの深さを多段階で切り換えることにより、各ピットにより多値のデータを記録するようになされたものが提案されている。この光ディスクによれば、単にピットの有無による２値のデータに代えて、多値のデータを１つのピットに割り当てて記録することができ、その分記録密度を向上することができる。
【０００３】
【発明が解決しようとする課題】
ところでこの種の光ディスクにおいては、記録されたデータを確実に再生することが困難な問題がある。
【０００４】
すなわちピットの深さを多段階で切り換えて多値記録する場合、ピットの深さを１００〔ｎｍ〕〜１０〔ｎｍ〕程度のピッチで切り換える必要がある。ところがこのピッチは、再生に供するレーザービームの波長に比して短いことにより、このような多値記録では、各深さに対応する再生信号の信号レベルが極めて近接した信号レベルになる。このため再生時、隣接ピットからの符号間干渉の影響を受け、各ピットに割り当てられたデータ値を確実に判定することが困難になる。
【０００５】
本発明は以上の点を考慮してなされたもので、多値記録したデータを確実に再生することができる光記録装置、光記録媒体及び光記録方法を提案しようとするものである。
【０００６】
【課題を解決するための手段】
かかる課題を解決するため請求項１の発明においては、記録に供するデータに応じて、レーザービームの光量を多段階で切り換えて光記録媒体に照射することにより、前記データを多値記録する光記録装置に適用して、１つのピットにより記録する前記データと前後のピットにより記録するデータとの組み合わせ毎に、前記１つのピットに係る前記レーザービームの光量及びタイミングを補正するデータを記録した補正値テーブルを有し、前記補正値テーブルに記録された前記補正するデータに基づいて、前記データを記録する際の前記レーザービームの光量及びタイミングを設定するようにして、前記補正値テーブルに記録された前記補正するデータに基づいて前記レーザービームの光量及びタイミングを設定して、前記１つのピットと前記前後のピットとを単位にした、前記１つのピットと前記前後のピットとの全ての組み合わせによる試験用データを記録した後、各組み合わせの再生結果を得、対応する組み合わせの前記再生結果に基づいて、位相余裕及び振幅余裕が大きくなるように、前記補正値テーブルに記録された前記補正するデータを更新する。
【０００８】
また請求項３の発明においては、記録に供するデータに応じて、レーザービームの光量を多段階で切り換えて光記録媒体に照射することにより、前記データを多値記録する光記録方法に適用して、１つのピットにより記録する前記データと前後のピットにより記録するデータとの組み合わせ毎に、前記１つのピットに係る前記レーザービームの光量及びタイミングを補正するデータを記録した補正値テーブルを設け、前記補正値テーブルに記録された前記補正するデータに基づいて、前記データを記録する際の前記レーザービームの光量及びタイミングを設定するようにして、前記補正値テーブルに記録された前記補正するデータに基づいて前記レーザービームの光量及びタイミングを設定して、前記１つのピットと前記前後のピットとを単位にした、前記１つのピットと前記前後のピットとの全ての組み合わせによる試験用データを記録した後、各組み合わせの再生結果を得、対応する組み合わせの前記再生結果に基づいて、位相余裕及び振幅余裕が大きくなるように、前記補正値テーブルに記録された前記補正するデータを更新する。
【０００９】
請求項１の構成により、記録に供するデータに応じて、レーザービームの光量を多段階で切り換えて光記録媒体に照射することにより、前記データを多値記録する光記録装置に適用して、１つのピットにより記録する前記データと前後のピットにより記録するデータとの組み合わせ毎に、前記１つのピットに係る前記レーザービームの光量及びタイミングを補正するデータを記録した補正値テーブルを備え、前記補正値テーブルに記録された前記補正するデータに基づいて、前記データを記録する際の前記レーザービームの光量及びタイミングを設定するようにして、前記補正値テーブルに記録された前記補正するデータに基づいて前記レーザービームの光量及びタイミングを設定して、前記１つのピットと前記前後のピットとを単位にした、前記１つのピットと前記前後のピットとの全ての組み合わせによる試験用データを記録した後、各組み合わせの再生結果を得、対応する組み合わせの前記再生結果に基づいて、位相余裕及び振幅余裕が大きくなるように、前記補正値テーブルに記録された前記補正するデータを更新すれば、隣接ピットからの符号間干渉等により変化する再生信号の信号レベルが最適値になるように、レーザービームの照射条件を設定することができ、これにより多値記録したデータを確実に再生することができる。
【００１０】
これにより請求項３の構成によれば、多値記録したデータを確実に再生することができる光記録方法を提供することができる。
【００１１】
【発明の実施の形態】
以下、適宜図面を参照しながら本発明の実施の形態を詳述する。
【００１２】
図１は、本発明の実施の形態に係る光ディスク製造工程に適用される光ディスク装置を示すブロック図である。この光ディスク装置１は、条件出し用のディスク原盤２を繰り返し製造し、この条件出しのディスク原盤２によって設定された露光の条件に従って光ディスク製造用のディスク原盤２Ａを製造する。光ディスクの製造工程では、このディスク原盤２及び２Ａを現像した後、電鋳処理してマザーディスクを製造し、このマザーディスクより光ディスクを作成する。このうち条件出し用のディスク原盤２より作成した光ディスクの再生結果より、露光の条件を設定する。
【００１３】
すなわちこの光ディスク装置１において、スピンドルモータ４は、ディスク原盤２又は２Ａを線速度一定の条件により回転駆動する。記録用レーザー５は、ガスレーザー等により構成され、ディスク装置原盤露光用のレーザービームＬ１を射出する。ミラー６は、このレーザービームＬ１の光路を折り曲げてディスク原盤２又は２Ａに向けて出射する。光変調器７は、電気光学素子（ＥＯＭ）又は音響光学素子（ＡＯＭ）により構成され、このレーザービームＬ１を変調して出力する。
【００１４】
ミラー８は、この光変調器７より射出されるレーザービームＬ１をディスク原盤２又は２Ａと平行に折り曲げ、ミラー９は、このミラー８により折り曲げられたレーザービームＬ１をディスク原盤２又は２Ａに向けて射出する。対物レンズ１０は、このミラー９で反射されたレーザービームＬ１をディスク原盤２又は２Ａの露光面に集光する。ここで対物レンズ１０は、フォーカスサーボ回路１１により上下に可動されてフォーカス制御される。また対物レンズ１０は、ミラー９と共に、ディスク原盤２又は２Ａの回転に同期して、ディスク原盤２又は２Ａの内周側より外周側に所定速度で移動するようになされている。これにより光ディスク装置１では、ディスク原盤２又は２Ａにらせん状にトラックを形成する。
【００１５】
このようにして順次レーザービームＬ１が照射されるディスク原盤２又は２Ａは、平滑度が管理されたガラス原盤の表面に、例えばスピンコートにより、膜厚λ／４ｎのフォトレジストが塗布されるようになされている。ここでｎは、最終製品でなる光ディスクの樹脂材料の屈折率であり、再生時に使用されるレーザービームの波長λにおける屈折率である。
【００１６】
さらにディスク原盤２、２Ａは、最内周及び最外周の所定エリアが補正エリアに割り当てられ、補正エリア間がユーザーエリアに割り当てられる。条件出し用のディスク原盤２では、この補正エリアに条件出し用の試験用データＤＳが記録される。これに対してディスク原盤２Ａでは、ユーザーエリアに入力データＤ１が記録される。
【００１７】
変調信号発生器３は、条件出し用のディスク原盤２において、試験用データＤＳを受け、この試験用データＤＳを光ディスクへの記録に適した変調方式により変調して変調信号ＳＳを生成する。これに対して光ディスク製造用のディスク原盤２Ａにおいて、光ディスクへの記録に供する入力データＤ１を受け、この入力データＤ１より変調信号Ｓ１を生成する。このとき変調信号発生器３は、試験用データＤＳ及び入力データＤ１を変調データに変換した後、この変調データをシリアルデータに変換する。さらにこの変調データを２ビット単位で区切り、ディユーティー比が５０〔％〕の４値の変調データ（１ユニット＝２ビット）を生成する。これにより変調信号発生器３は、この４値の変調データに応じて信号レベルが変化する４値の変調信号ＳＳ、Ｓ１を生成する。
【００１８】
このとき変調信号発生器３は、内蔵の変調信号補正回路１３において、補正値テーブル１３Ａを参照することにより、この補正値テーブル１３Ａに記録されたエッジのタイミングと、信号レベルとにより変調信号ＳＳ、Ｓ１を生成する。
【００１９】
すなわち変調信号補正回路１３は、入力データＤ１の記録時においては、連続する４値の変調データを順次設定対象に設定して、この設定対象でなる変調データのデータ値と、前後の変調データのデータ値とを組にして、補正値テーブル１３Ａを参照し、この補正値テーブル１３Ａに記録された対応する組み合わせの信号レベルと、タイミングとにより設定対象の変調信号Ｓ１を生成する。
【００２０】
これに対して試験用データＤＳの記録時、３ユニットを単位にして変調データを組み合わせて形成される試験用データＤＳに対して、各組み合わせの中央、１ユニットの変調データだけを設定対象の変調データに設定し、補正値テーブル１３Ａの対応する組み合わせによりこの設定対象の変調信号ＳＳを生成する。また、設定対象の前後、１ユニットの変調データについては、予め設定された信号レベル及びタイミングにより変調信号ＳＳを生成する。
【００２１】
ここで図２に示すようにこの補正値テーブル１３Ａは、このディスク原盤２Ａに記録する変調データについて、３ユニットを単位にして各組み合わせを形成し（４×４×４＝６４種類でなる）、各組み合わせ毎に、後述する処理手順により、変調信号ＳＳ、Ｓ１の信号レベルの最適値と、タイミングの最適値とを記録して生成される。光ディスク装置１では、これにより連続するピット間で符号間干渉した場合でも、多値記録されたデータを確実に再生できるようになされている。なお図２においては、各変調データのデータ値を数字０〜３により、処理対象の変調データに対して、前後の変調データをそれぞれ前データ及び後データとして示す。
【００２２】
かくするにつき変調信号発生器３は、このようにして生成した変調信号ＳＳ、Ｓ１により光変調器７を駆動して、ディスク原盤２、２Ａ上にピット列を形成する。さらに各ピットの深さを戻り光の波長に換算してλ／４、λ／６、λ／１２、０の４段階で切り換え、これにより再生信号の信号レベルが４段階で変化するように順次ピットを形成して補正用データＤＳ及び入力データＤ１を多値記録する。
【００２３】
ここで図３に示すように、補正値テーブル１３Ａは、条件出しの開始時、変調データＤＭのタイミングに同期して信号レベルが立ち上がるように変調信号ＳＳのタイミングを設定する（図３（Ａ）及び（Ｂ））。これにより光ディスク装置１では、レーザービームＬ１のエネルギー強度分布でなるガウシアン分布特性（図３（Ｃ））により、変調信号ＳＳを畳み込み積分してなる積算露光光量によってディスク原盤２を露光することになる（図３（Ｄ））。ディスク原盤２においては、これにより変調データＤＭに対してレーザービームＬ１の走査方向の大きさ（以下ピットの長さと呼ぶ）Ｌが拡大して各ピットＰが形成されることになる（図３（Ｅ））。
【００２４】
また図４に示すように、補正値テーブル１３Ａは、条件出しの開始時、変調データＤＭのデータ値（図４（Ａ））に対応してレーザービームＬ１の光量を一定のレベル間隔で４段階で切り換えるように、変調信号ＳＳを生成する（図４（Ｂ）及び（Ｃ））。これにより光ディスク装置１では、同様にガウシアン分布特性により畳み込み積分してなる積算露光光量によってディスク原盤２を露光することになる（図４（Ｄ））。ディスク原盤２においては、これにより変調データＤＭのデータ値に対応してピットＰの深さＤが多段階で変化し、またこれに伴ってピットＰの長さＬ、幅Ｗが変化することになる（図４（Ｅ））。なおここで符号Ｉｔｏｐ及びＩｂｏｔｔｏｍは、フォトレジストの現像後残留膜厚率が０〔％〕及び１００〔％〕でなる露光強度のしきい値である。
【００２５】
このようにして変調データＤＭに対してピットＰの長さＬが変化すると、このディスク原盤２より作成した光ディスクの再生信号においては、再生信号を２値化して得られる２値化信号のタイミングが変調データＤＭのタイミングに対して変化することになり、ジッタが発生することになる。これによりこの２値化信号より生成されるクロックを基準にして再生信号をサンプリングして、正しいタイミングで再生信号を再生することが困難になる。すなわち再生時における位相余裕が低下することになる。
【００２６】
またピットＰの幅Ｗの変化は、ピットの深さＤによって決まる再生信号の信号レベルを変化させ、再生時における振幅余裕を低下させることになる。
【００２７】
さらに光ディスクにおいては、これらの他に隣接ピットからの符号間干渉が発生する。すなわち再生信号は、再生対象のピットＰ２の前後のピットの符号間干渉により、この前後のピット形状に応じて信号レベルが変化することになる。これによっても再生時、振幅余裕が低下する。また位相余裕も低下し、これによっても再生信号ＲＦを正しく再生することが困難になる。
【００２８】
このようにして信号レベル等が変化する再生信号に対して、補正値テーブル１３Ａは、入力データＤ１の記録時、振幅余裕及び位相余裕が最大になるように、変調信号Ｓ１の信号レベル及びタイミングを設定し、この実施の形態では、この信号レベル及びタイミングの設定が条件出しにより実行されるようになされている。
【００２９】
図５は、この補正値テーブル１３Ａの設定処理手順を示すフローチャートであり、図６は、この処理手順のシステム構成を示す略線図である。この処理手順では、処理を開始するとステップＳＰ１からステップＳＰ２に移って、試験用データＤＳを光ディスク装置１に供給し、試験用データＤＳにより変調信号ＳＳを発生する。さらに続くステップＳＰ３において、この発生した変調信号ＳＳをディスク原盤２の補正エリアに記録する。
【００３０】
ここで図７に示すように、この試験用データＤＳは、補正値テーブル１３Ａに記録する変調データＤＭの組み合わせに対応して、６４種類の変調データの組み合わせにより構成され、この実施の形態では内周側補正エリア及び外周側補正エリアにそれぞれ所定回数だけ繰り返し記録される。これにより光ディスク装置１では、内外周における測定誤差を補正し、また繰り返し記録することにより測定誤差を軽減する。
【００３１】
続いてこの処理手順では、このディスク原盤２を現像してスタンパー２０（図６）を作成し、このスタンパー２０より光ディスク２１を作成する。さらにこの光ディスク２１を再生装置２２により再生する（ステップＳＰ４）。この光ディスク２１の再生において、処理手順は、ステップＳＰ５に移り、この光ディスク２１より得られる再生信号ＲＦを理想の信号波形と比較し、続くステップＳＰ６において比較結果より露光の条件が最適値に収束したか否か判断する。ここで否定結果が得られると、この処理手順はステップＳＰ７に移り、補正値テーブル１３Ａに記録する補正データを算出してステップＳＰ２に戻る。
【００３２】
ここで理想の信号波形とは、図８に示すように、この光ディスク２１の記録再生系において、位相余裕及び振幅余裕が最も大きな再生信号波形を意味する（図８（Ａ））。このうち位相余裕については、この再生信号ＲＦよりクロックを生成して、ジッタが最も少なくなり、かつこのクロックより再生信号ＲＦをサンプリングして、前後のピットより等しい程度で符号間干渉を受けるタイミングで再生信号ＲＦをサンプリングできる波形を理想波形とする。
【００３３】
すなわちこの理想波形は、２値化信号の生成に使用するスライスレベルＳＬにより２値化した際に、異なるデータ値においても、等しいタイミングｔ１及びｔ２でスライスレベルＳＬを横切り、かつデューティー比５０〔％〕の２値化信号を生成でき、さらにこの時点ｔ１及びｔ２の中間の時点ｔｓにより再生信号ＲＦをサンプリングして、再生用レーザービームが再生対象のピットの中央を走査している信号レベルをサンプリングできる波形である。またこの関係が前後のピット形状によっても維持されているものが理想波形である。
【００３４】
これに対して振幅余裕については、この理想のサンプリングのタイミングｔｓによりサンプリングして、各データ値の再生信号ＲＦを最も確実に判別できる波形を理想波形とする。すなわちタイミングｔｓによりサンプリングして、各データ値に対応する再生信号ＲＦのサンプリング値が等しい信号レベル差Δにより変化し、またこの信号レベル差Δがこの光ディスク２１に許容される最も大きなレベル差である場合が理想波形である。またこの関係が前後のピット形状によっても維持されているものが理想波形である。
【００３５】
この理想波形との比較処理及び補正データの生成処理は、光ディスク２１を再生して得られる再生信号ＲＦを、ディジタルオシロスコープ２３（図６）に入力し、この再生信号ＲＦより生成されるクロックに比して充分に高い周波数によりサンプリングした後、理想波形による信号レベルと各サンプリング値とをコンピュータ２４により比較して実施される。またステップＳＰ６における収束の判断は、コンピュータ２４により比較結果を判定して実行される。
【００３６】
すなわち図８に示すように、コンピュータ２４は、この比較処理において、理想波形がしきい値ＳＬを横切るタイミングを基準にして、各データ値の再生信号ＲＦ毎に、誤差ｄ１１、ｄ２１、ｄ３１、ｄ１２、ｄ２２、ｄ３２を検出する。（図８（Ｂ））さらに対応するデータ値の変調信号Ｓ１について、検出した誤差ｄ１１、ｄ２１、ｄ３１、ｄ１２、ｄ２２、ｄ３２により立ち上がりエッジ及び立ち下がりエッジのタイミングをそれぞれ補正する補正データを生成する（図８（Ｃ））。このとき各補正値Ｄ１１、Ｄ２１、Ｄ３１、Ｄ１２、Ｄ２２、Ｄ３２は、それぞれ対応する誤差ｄ１１、ｄ２１、ｄ３１、ｄ１２、ｄ２２、ｄ３２に対して、Ｄ＜α×ｄの関係に保持される。ここでαは、１より小さい値とする。これによりこの実施の形態では、タイミングを補正して試験用データの記録再生を繰り返し、各エッジのタイミングを最適なタイミングに収束させるようになされている。
【００３７】
また図９に示すように、コンピュータ２４は、この比較処理において、対応するデータ値毎に、理想波形に対する再生信号ＲＦの信号レベル差ｄ１３、ｄ２３、ｄ３３を検出する（図９（Ａ）及び（Ｂ））。さらに変調信号Ｓ１の対応する信号レベルを、検出した信号レベル差ｄ１３、ｄ２３、ｄ３３でそれぞれ補正するように、補正データを生成する（図９（Ｃ））。このとき各補正値Ｄ１３、Ｄ２３、Ｄ３３は、それぞれ対応する信号レベル差ｄ１３、ｄ２３、ｄ３３に対して、Ｄ＜ｄの関係に保持される。これによりこの実施の形態では、信号レベルを補正して試験用データの記録再生を繰り返し、各信号レベルを最適値に収束させるようになされている。
【００３８】
コンピュータ２４は、変調データの組み合わせ毎に補正データを生成する。また繰り返し記録した同一の組み合わせ間で、さらに内周側及び外周側の補正エリアに記録した同一の組み合わせ間で、平均値を算出して補正データを生成する。これによりこの実施の形態では、隣接ピットからの符号間干渉によっても、位相余裕及び振幅余裕を充分に確保できるように、補正データを生成する。
【００３９】
このようにして補正値テーブル１３Ａに記録する補正データを生成すると、コンピュータ２４は、計算した補正データをＲＯＭライター２５によりリードオンリメモリに記録する（図６）。これによりこの実施の形態では、補正値テーブル１３Ａが作成され、この補正値テーブル１３Ａが光ディスク装置１にセットされて、改めて試験用データＤＳがディスク原盤２に記録される。
【００４０】
これによりこの処理手順においては、順次補正値テーブル１３Ａの内容を更新し、理想波形と再生信号ＲＦとの間の誤差ｄ１１、ｄ２１、ｄ３１、ｄ１２、ｄ２２、ｄ３２及び信号レベル差ｄ１３、ｄ２３、ｄ３３が所定値以下になると、コンピュータ２４により収束したと判断され、ステップＳＰ８に移って条件出しの処理手順を終了する。
【００４１】
かくしてこの実施の形態では、このようにして設定された補正値テーブル１３Ａに従って、順次変調データのデータ値に対応するように、変調信号Ｓ１が形成され、ディスク原盤２Ａに入力データＳ１が記録されることになる。
【００４２】
以上の構成において、このディスク製造工程では、始めに条件出しの処理が実行され（図６）、この条件出しの処理において、３ユニットを単位にした４値の変調データの組み合わせでなる試験用データＤＳがディスク原盤２に記録される（図１）。この記録の際に、この試験用データＤＳを形成する各３ユニットの変調データのうち、中央の１ユニットの変調データに対して、補正値テーブル１３Ａ（図７）に記録された対応する組み合わせの信号レベル及びタイミングにより変調信号ＳＳが生成される。これに対して前後１ユニットの変調データに対しては、各変調データのデータ値に対応する所定の信号レベル及びタイミングにより変調信号ＳＳが生成される。
【００４３】
さらにこの生成した変調信号ＳＳにより光変調器７が駆動され、記録用レーザー５より射出されたレーザービームＬ１の光量が略４段階で切り換えられ（図１）、このレーザービームＬ１がディスク原盤２の内周側補正エリア及び外周側補正エリアに照射される。これによりこの内周側補正エリア及び外周側補正エリアに、３ユニットを単位にした、光ディスクに記録する変調データの各組み合わせが、それぞれ深さＤを切り換えてなるピット列により記録される。
【００４４】
このようにしてディスク原盤２を露光すると、この工程では、このディスク原盤２より光ディスク２１が作成される（図６）。さらにこの光ディスク２１が再生されて、試験用データＤＳの再生信号ＲＦがディジタルオシロスコープ２３によりモニタされる。ここでこの再生信号ＲＦの立ち上がり及び立ち下がりが、各組み合わせ毎に、理想波形と比較され、理想波形に近づいて位相余裕が増大するように各組み合わせ毎に補正データが生成される。また各データ値の信号レベルが理想波形に近づいて振幅余裕が増大するように、各組み合わせ毎に補正データが作成される。また繰り返し記録した各組み合わせ間、内周側補正エリア及び外周側補正エリアの各組み合わせ間で、平均値化されて、各組み合わせ毎に補正データが作成される。
【００４５】
このようにして作成された補正データは、リードオンリメモリに記録され、これにより補正値テーブル１３Ａが作成され、この補正値テーブル１３Ａがそれまでの補正値テーブル１３Ａに代えて光ディスク装置１に配置される。
【００４６】
これによりこの理想波形に近づくように設定された補正値テーブル１３Ａにより、改めて試験用データＤＳがディスク原盤２に記録されて光ディスク２１が作成された後、この光ディスク２１が再生されて理想波形と比較される。この比較において、理想波形に或る程度似通った波形により再生信号ＲＦが得られるようになると、補正値テーブル１３Ａの内容は、一定程度収束したと判断されることにより、コンピュータ２４における判定により条件出しの処理が終了する。
【００４７】
これにより光ディスク装置１（図１）に、実際の記録に供する入力データＤ１が入力され、この入力データＤ１が２ビットの変調データに変換される。さらにこの順次連続する変調データに対して、前後の変調データとの組み合わせに対応する補正データが補正値テーブル１３Ａより検索され、この検索された補正データによる信号レベル及びタイミングにより変調信号Ｓ１が生成される。これにより入力データＤ１は、前後のピット形状との関連でピット形状が補正されてディスク原盤２に記録され、隣接ピットからの符号間干渉によっても、理想波形に近い再生信号波形により再生されることになる。
【００４８】
すなわちこの変調信号Ｓ１によりディスク原盤２Ａのユーザーエリアが露光され、このディスク原盤２より光ディスク２１が製造される（図６）。
【００４９】
以上の構成によれば、３ユニットを単位にして、変調データの組み合わせ毎に再生結果を得、この再生結果が理想波形に近づくように補正値テーブル１３Ａを作成して変調信号のタイミング及び信号レベルを補正したことにより、光量を切り換えてピットの長さ、幅が変化しても、また隣接ピットの符号間干渉によっても、理想波形に近い信号波形により再生信号を得ることができ、これにより充分な振幅余裕及び位相余裕を確保して光ディスクに多値記録したデータを確実に再生することができる。
【００５０】
なお上述の実施の形態においては、ピット間間隔に比して記録用レーザービームのビーム径が充分に小さい場合について述べたが、本発明はこれに限らず、記録媒体に対して有効なレーザービームのビーム径が、ピット間間隔に比して大きな場合にも広く適用することができる。
【００５１】
すなわち光ディスク装置においては、一般に、ピット間隔が、記録媒体に対して有効なレーザービームのビーム系より大きくなるように設定される。ここで有効なビーム系とは、記録媒体の記録露光強度しきい値と対物レンズの回折限界のビーム径で決定される大きさであり、１．２２λ／ＮＡを上限とするものである。
【００５２】
図１０に示すように、記録媒体に対して有効なレーザービームのビーム径ＳＰが、変調信号のエッジ間隔に比して大きい場合（図１０（Ａ））、積算露光量（図１０（Ｂ））においては、この両エッジで照射されるレーザービームが重なり合い、いわゆる干渉部分が発生する。従ってこの場合、記録時に隣接ピット間で符号間干渉が発生することになり、再生信号においては、ピットの長さが長くなった場合と同様にエッジ間隔が短くなって観察されることになる。
【００５３】
これにより上述の実施の形態の場合と同様に、理想とされる再生信号波形を基準にして変調信号のタイミングを補正して、再生信号において必要とする短いエッジ間隔を確保することができる。かくするにつき再生信号におけるエッジの最小間隔に対して、記録媒体に対して有効なレーザービームのビーム径が大きい場合に適用して、所望のデータを確実に多値記録することができる。
【００５５】
さらに上述の実施の形態においては、試験用データの記録時、前後の変調データについては、所定の信号レベル及びタイミングにより記録する場合について述べたが、本発明はこれに限らず、この前後の変調データについても、中央の変調データと共に、順次補正してもよい。なおこの場合、中央の変調データに対応する信号レベル及びタイミングの再生結果より、各データ値毎に平均値の信号レベル及びタイミングを検出して前後の変調データに対応する変調信号を設定する場合、さらには各データ値の発生確率より最も適切な信号レベル及びタイミングを検出して前後の変調データに対応する変調信号を設定する場合等が考えられる。
【００５６】
また上述の実施の形態においては、各変調データの組み合わせに対して、補正値テーブル１３Ａにより特定される１種類の変調信号を記録して再生する場合について述べたが、本発明はこれに限らず、各変調データの組み合わせに対して、タイミング及び信号レベルを切り換えた複数種類の変調信号を記録し、各種類、各組み合わせの再生結果より露光の条件を設定してもよい。
【００５７】
さらに上述の実施の形態においては、光ディスクの円周方向に連続する３つのピットについて、符号間干渉の影響を取り除く場合について述べたが、本発明はこれに限らず、これに代えて、又はこれに加えて、光ディスクの半径方向に連続する３つのピットについて、符号間干渉の影響を取り除く場合にも広く適用することができる。なおこの場合、例えばディスク状の光記録媒体については、角速度一定の条件により駆動した状態で、各組み合わせにより試験用データを記録することになる。
【００５８】
また上述の実施の形態においては、光量を多段階で切り換えて変化するピットの幅については、何ら制御しない場合について述べたが、本発明はこれに限らず、例えばビームスポット径を制御することにより、ピットの幅を一定値に保持してピットの深さだけで所望のデータを多値記録する場合、またこれとは逆に積極的にビームスポット径を制御することにより、ピットの深さと幅とにより所望のデータを多値記録する場合に広く適用することができる。
【００５９】
さらに上述の実施の形態においては、ピットの深さを多段階で切り換えて所望のデータを多値記録する場合について述べたが、本発明はこれに限らず、ピットの長さ（すなわちエッジのタイミングでなる）と深さとを組み合わせて所望のデータを多値記録する場合にも広く適用することができる。
【００６２】
【発明の効果】
上述のように本発明によれば、予め種々の組み合わせにより試験用データを記録して再生結果を得、この再生結果よりレーザービームを照射する条件を補正することにより、光量を切り換えてピットの長さ、幅が変化しても、また隣接ピットの符号間干渉によっても、理想波形に近い信号波形により再生信号を得ることができる。これにより充分な振幅余裕及び位相余裕を確保して多値記録したデータを確実に再生することができる。
【図面の簡単な説明】
【図１】本発明の実施の形態に係る光ディスク装置を示すブロック図である。
【図２】図１の光ディスク装置の補正値テーブルを示す図表である。
【図３】記録時における変調信号とピット形状との関係の説明に供するタイムチャートである。
【図４】光量の切り換えとピット形状との関係の説明に供する略線図である。
【図５】図１の光ディスク装置における条件出しの処理手順を示すフローチャートである。
【図６】図５の処理手順による工程を示す略線図である。
【図７】図５の処理手順による試験用データの記録の説明に供する略線図である。
【図８】変調信号のタイミングの補正の説明に供する信号波形図である。
【図９】変調信号の信号レベルの補正の説明に供する信号波形図である。
【図１０】記録時の符号間干渉の説明に供する略線図である。
【符号の説明】
１……光ディスク装置、２、２Ａ……ディスク原盤、３……変調信号発生器、７……光変調器、１３……変調信号補正回路、１３Ａ……補正値テーブル
【図１】
0003804810.tif 000002
【図２】
0003804810.tif 000003
【図３】
0003804810.tif 000004
【図４】
0003804810.tif 000005
【図５】
0003804810.tif 000006
【図６】
0003804810.tif 000007
【図７】
0003804810.tif 000008
【図８】
0003804810.tif 000009
【図９】
0003804810.tif 000010
【図１０】
0003804810.tif 000011